(57)【要約】【課題】係止解除のための弾性係止片の変形に起因して第１筐体と第２筐体とが互いに分離し難くなる事態が発生し難い電気接続箱を提供すること。【解決手段】電気接続箱１は、環状の第１側壁部１３を有する第１筐体１１と、環状の第２側壁部１４を有する第２筐体１２であって、第２側壁部１４と第１側壁部１３とを合わせるように第１筐体１１に組み付けられる第２筐体１２と、第１側壁部１３の外壁に設けられ、弾性変形可能な弾性係止片２５を備えた第１係止部２０と、第２側壁部１４の外壁に設けられ、弾性係止片２５の係止部２８を係止することで第１筐体１１と第２筐体１２との分離を防止する被係止部３３を備えた第２係止部３０と、を備える。係止部２８と被係止部３３との係止状態にて、弾性係止片２５を第１係止部２０が設けられた第１側壁部１３の外壁に沿う方向に弾性変形させることで、係止が解除される。【選択図】図４
2020202664.tif 000002
【特許請求の範囲】
【請求項１】
環状の第１側壁部を有する第１筐体と、
環状の第２側壁部を有する第２筐体であって、前記第２側壁部の環状の縁部と前記第１側壁部の環状の縁部とを合わせるように、前記第１筐体に組み付けられる第２筐体と、
前記第１側壁部の外壁に設けられ、弾性変形可能な弾性係止片を備えた第１係止部と、
前記第２側壁部の外壁に設けられ、前記弾性係止片の係止部を係止することで前記第１筐体と前記第２筐体との分離を防止する被係止部を備えた第２係止部と、
を備え、前記第１筐体及び前記第２筐体の少なくとも一方において少なくとも１つの電子部品を収容する電気接続箱において、
前記第１係止部及び前記第２係止部は、前記弾性係止片の前記係止部が前記被係止部に係止された状態にて、前記弾性係止片を前記第１係止部が設けられた前記第１側壁部の前記外壁に沿う方向に弾性変形させることで、前記係止が解除されるように構成された、
電気接続箱。
【請求項２】
請求項１に記載の電気接続箱において、
前記弾性係止片は、自由端が固定端より前記第２筐体から離れる側に位置する片持ち梁状の形状を有し、
前記弾性係止片の前記自由端を、前記第１側壁部の前記外壁に沿い且つ前記第１筐体と前記第２筐体との組み付け方向に直交する横方向に移動させることで、前記係止が解除されるように構成された、
電気接続箱。
【請求項３】
請求項２に記載の電気接続箱において、
前記第１係止部は、前記横方向に離れて前記第１側壁部の前記外壁から外側に突出する一対の第１側板部と、前記一対の第１側板部の突出側端部同士を連結するように前記横方向に延びる第１連結部と、を備え、
前記弾性係止片の前記自由端は、前記第１側壁部の前記外壁、前記一対の第１側板部、及び、前記第１連結部により画成される空間内に位置する、
電気接続箱。
【請求項４】
請求項３に記載の電気接続箱において、
前記第１係止部は、前記第１連結部から前記第２筐体側に延出する第１延出部と、前記第１延出部と対向するように前記第１側壁部の前記縁部から前記第２筐体側に延出する第２延出部と、を備え、
前記弾性係止片の前記固定端は、前記第１延出部及び前記第２延出部に挟持され固定されている、
電気接続箱。
【請求項５】
請求項４に記載に記載の電気接続箱において、
前記第２係止部は、前記横方向に離れて前記第２側壁部の前記外壁から外側に突出する一対の第２側板部と、前記一対の第２側板部の突出側端部同士を連結するように前記横方向に延びる第２連結部と、を備え、
前記弾性係止片の前記係止部が前記被係止部に係止された状態にて、前記第１延出部及び前記第２延出部は、前記第２側壁部の前記外壁、前記一対の第２側板部、及び、前記第２連結部により画成される空間内に進入し、
前記被係止部は、前記一対の第２側板部のうち一方の前記第２側板部の内壁面に設けられている、
電気接続箱。
【発明の詳細な説明】
【技術分野】
【０００１】
本発明は、電気接続箱に関する。
【背景技術】
【０００２】
従来から、車両に搭載され、リレー等の電子部品を収容するリレーボックス等の電気接続箱が広く知られている（例えば、特許文献１を参照）。このような電気接続箱は、通常、第１筐体の環状の第１側壁部と第２筐体の環状の第２側壁部とを合わせるように、第１筐体と第２筐体とが組み付けられるように構成されている。この構成では、通常、第１側壁部に弾性変形可能な弾性係止片が設けられ、第２側壁部に弾性係止片の係止部を係止する被係止部が設けられ、弾性係止片の係止部を被係止部に係止させることで、第１筐体と第２筐体との分離が防止されるようになっている。
【先行技術文献】
【特許文献】
【０００３】
【特許文献１】特開２０１８−１２９９３１号公報
【発明の概要】
【発明が解決しようとする課題】
【０００４】
ところで、弾性係止片の係止部が被係止部に係止された状態にて、弾性係止片を、第１側壁部の外壁に近づける方向に弾性変形させることで、係止が解除される態様を想定する。この態様では、係止解除のために弾性係止片を第１側壁部に近づける方向に弾性変形させる際、弾性係止片の形態によっては、弾性係止片が第２側壁部の外壁に押し付けられる場合がある。この場合、弾性係止片と第２側壁部の外壁との接触部における擦動摩擦抵抗が増大することで、第１筐体と第２筐体とが互いに分離し難くなる、という問題が発生し得る。
【０００５】
本発明は、上述した事情に鑑みてなされたものであり、その目的は、係止解除のための弾性係止片の変形に起因して第１筐体と第２筐体とが互いに分離し難くなる事態が発生し難い電気接続箱を提供することにある。
【課題を解決するための手段】
【０００６】
前述した目的を達成するために、本発明に係る電気接続箱は、下記［１］〜［５］を特徴としている。
［１］
環状の第１側壁部を有する第１筐体と、
環状の第２側壁部を有する第２筐体であって、前記第２側壁部の環状の縁部と前記第１側壁部の環状の縁部とを合わせるように、前記第１筐体に組み付けられる第２筐体と、
前記第１側壁部の外壁に設けられ、弾性変形可能な弾性係止片を備えた第１係止部と、
前記第２側壁部の外壁に設けられ、前記弾性係止片の係止部を係止することで前記第１筐体と前記第２筐体との分離を防止する被係止部を備えた第２係止部と、
を備え、前記第１筐体及び前記第２筐体の少なくとも一方において少なくとも１つの電子部品を収容する電気接続箱において、
前記第１係止部及び前記第２係止部は、前記弾性係止片の前記係止部が前記被係止部に係止された状態にて、前記弾性係止片を前記第１係止部が設けられた前記第１側壁部の前記外壁に沿う方向に弾性変形させることで、前記係止が解除されるように構成された、
電気接続箱であること。
［２］
上記［１］に記載の電気接続箱において、
前記弾性係止片は、自由端が固定端より前記第２筐体から離れる側に位置する片持ち梁状の形状を有し、
前記弾性係止片の前記自由端を、前記第１側壁部の前記外壁に沿い且つ前記第１筐体と前記第２筐体との組み付け方向に直交する横方向に移動させることで、前記係止が解除されるように構成された、
電気接続箱であること。
［３］
上記［２］に記載の電気接続箱において、
前記第１係止部は、前記横方向に離れて前記第１側壁部の前記外壁から外側に突出する一対の第１側板部と、前記一対の第１側板部の突出側端部同士を連結するように前記横方向に延びる第１連結部と、を備え、
前記弾性係止片の前記自由端は、前記第１側壁部の前記外壁、前記一対の第１側板部、及び、前記第１連結部により画成される空間内に位置する、
電気接続箱であること。
［４］
上記［３］に記載の電気接続箱において、
前記第１係止部は、前記第１連結部から前記第２筐体側に延出する第１延出部と、前記第１延出部と対向するように前記第１側壁部の前記縁部から前記第２筐体側に延出する第２延出部と、を備え、
前記弾性係止片の前記固定端は、前記第１延出部及び前記第２延出部に挟持され固定されている、
電気接続箱であること。
［５］
上記［４］に記載に記載の電気接続箱において、
前記第２係止部は、前記横方向に離れて前記第２側壁部の前記外壁から外側に突出する一対の第２側板部と、前記一対の第２側板部の突出側端部同士を連結するように前記横方向に延びる第２連結部と、を備え、
前記弾性係止片の前記係止部が前記被係止部に係止された状態にて、前記第１延出部及び前記第２延出部は、前記第２側壁部の前記外壁、前記一対の第２側板部、及び、前記第２連結部により画成される空間内に進入し、
前記被係止部は、前記一対の第２側板部のうち一方の前記第２側板部の内壁面に設けられている、
電気接続箱であること。
【０００７】
上記［１］の構成の電気接続箱によれば、係止解除のため、弾性係止片が第１側壁部の外壁に沿う方向（従って、第２側壁部の外壁に沿う方向でもある）に弾性変形させられる。従って、係止解除のための弾性係止片の弾性変形に起因して、弾性係止片が第２側壁部の外壁に押し付けられることがない。このため、弾性係止片と第２側壁部の外壁との間の擦動摩擦抵抗の増大に起因して、第１筐体と第２筐体とが互いに分離し難くなる、という問題が発生し難くなる。
【０００８】
上記［２］の構成の電気接続箱によれば、片持ち梁状の弾性係止片の自由端を横方向に移動させるという単純な操作により、係止を解除することができる。
【０００９】
上記［３］の構成の電気接続箱によれば、弾性係止片の自由端が、第１側壁部の外壁、一対の第１側板部、及び、第１連結部により囲まれている。このため、周囲の物体が意図せずに自由端に接触して係止が解除される事態が発生し難くなる。
【００１０】
上記［４］の構成の電気接続箱によれば、弾性係止片の固定端が、第１延出部及び第２延出部の間に挟持され、且つ、強固に固定され得る。このため、周囲の物体が意図せずに固定端に接触して係止が解除される事態が発生し難くなる。
【００１１】
上記［５］の構成の電気接続箱によれば、被係止部が、一対の第２側板部のうち一方の第２側板部の内壁面に設けられている。このため、周囲の物体が意図せずに被係止部に接触して係止が解除される事態が発生し難くなる。
【発明の効果】
【００１２】
このように、本発明によれば、係止解除のための弾性係止片の変形に起因して第１筐体と第２筐体とが互いに分離し難くなる事態が発生し難い電気接続箱を提供できる。
【００１３】
以上、本発明について簡潔に説明した。更に、以下に説明される発明を実施するための形態を添付の図面を参照して通読することにより、本発明の詳細は更に明確化されるであろう。
【図面の簡単な説明】
【００１４】
【図１】図１は、本発明の実施形態に係る電気接続箱の斜視図である。
【図２】図２は、図１に示す第１筐体の第１係止部の周囲を拡大して示す斜視図である。
【図３】図３は、図１に示す第２筐体の第２係止部の周囲を拡大して示す斜視図である。
【図４】図４は、図１の４−４線に沿った断面図である。
【発明を実施するための形態】
【００１５】
＜実施形態＞
以下、図面を参照しながら、図１に示す本発明の実施形態に係る電気接続箱１について説明する。電気接続箱１は、典型的には、車両に搭載され、リレー等の電子部品を収容するリレーボックスである。以下、説明の便宜上、図１における「上下方向」、「上」及び「下」を、それぞれ、「上下方向」、「上」及び「下」と定義する。電気接続箱１の車両搭載時において、「上下方向」は、車両の上下方向に対応している。
【００１６】
図１に示すように、電気接続箱１は、複数の電子部品（図示省略）を収容する樹脂製の筐体１０を備える。筐体１０は、本例では、矩形環状の第１側壁部１３を有する上側の第１筐体１１と、矩形環状の第２側壁部１４を有する下側の第２筐体１２と、を備える。第１側壁部１３の矩形環状の下縁部と、第２側壁部１４の矩形環状の上縁部とを周方向の全域に亘って合わせるように、第１筐体１１及び第２筐体１２が上下方向に組み付けられることで、図１に示す筐体１０が得られる。
【００１７】
第１筐体１１には、図１及び図２に示すように、矩形環状の第１側壁部１３のうち互いに対向する所定の２辺の各々の周方向中央部の外壁に、第１係止部２０がそれぞれ設けられている。同様に、第２筐体１２には、図１及び図３に示すように、矩形環状の第２側壁部１４のうち上記第１側壁部１３の上記所定の２辺に対応する互いに対向する２辺の各々の周方向中央部の外壁に、第２係止部３０がそれぞれ設けられている。
【００１８】
図１に示すように、第１筐体１１及び第２筐体１２が上下方向に組み付けられた状態（組付完了状態）では、第１係止部２０と第２係止部３０とが互いに係止されることで、第１筐体１１と第２筐体１２との上下方向の分離が防止されるようになっている。以下、第１係止部２０及び第２係止部３０の構成について順に説明する。
【００１９】
以下、説明の便宜上、第１係止部２０が設けられた第１側壁部１３の外壁に沿い且つ第１筐体１１と第２筐体１２との組付方向（図４において、上下方向）に直交する方向（図４において、左右方向）を、「横方向」と呼ぶ。「横方向」は、第２係止部３０が設けられた第２側壁部１４の外壁に沿い且つ第１筐体１１と第２筐体１２との組付方向に直交する方向でもある。
【００２０】
第１係止部２０は、図２及び図４に示すように、横方向に離れて第１側壁部１３の外壁から外側に突出して上下方向に延びる一対の第１側板部２１と、一対の第１側板部２１の突出側端部同士を連結するように横方向に延びる第１連結部２２と、を備える。この結果、第１側壁部１３の外壁、一対の第１側板部２１、及び、第１連結部２２により、上下方向に貫通する矩形状の第１空間Ｓ１が画成されている（図２参照）。
【００２１】
第１係止部２０は、更に、第１連結部２２から下側（第２筐体１２側）に舌状に延出する第１延出部２３と、第１延出部２３と対向するように第１側壁部１３の下縁部から下側（第２筐体１２側）に舌状に延出する第２延出部２４と、を備える。
【００２２】
第１係止部２０は、更に、第１延出部２３及び第２延出部２４に固定端２６が挟持・固定され、且つ、固定端２６から上方に向けて延びる片持ち梁状の弾性係止片２５を備える。弾性係止片２５の延出端である自由端２７は、第１空間Ｓ１内に位置する。
【００２３】
弾性係止片２５は、第１延出部２３及び第２延出部２４の間から横方向一側（図４において、右側）に露呈する位置に、横方向一側に突出する係止部２８が設けられている。弾性係止片２５は、自由端２７が横方向に移動するように弾性変形可能となっている。
【００２４】
第２係止部３０は、図３及び図４に示すように、横方向に離れて第２側壁部１４の外壁から外側に突出して上下方向に延びる一対の第２側板部３１と、一対の第２側板部３１の突出側端部同士を連結するように横方向に延びる第２連結部３２と、を備える。この結果、第２側壁部１４の外壁、一対の第２側板部３１、及び、第２連結部３２により、上下方向に貫通する矩形状の第２空間Ｓ２が画成されている（図３参照）。
【００２５】
一対の第２側板部３１のうち横方向一側の第２側板部３１の内壁面（第２空間Ｓ２に面する側面）には、横方向他側（図４において、左側）に突出する被係止部３３（図４参照）が設けられている。被係止部３３は、第１筐体１１及び第２筐体１２の組付完了状態にて、弾性係止片２５の係止部２８を係止することになる。
【００２６】
第１筐体１１と第２筐体１２とを組み付けるためには、第１筐体１１と第２筐体１２とを上下方向に互いに近づけていき、第１係止部２０の第１延出部２３及び第２延出部２４を第２係止部３０の第２空間Ｓ２に挿入する。
【００２７】
第１延出部２３及び第２延出部２４の第２空間Ｓ２への挿入が進行すると、第１係止部２０の弾性係止片２５の係止部２８が、第２係止部３０の被係止部３３に当接する。挿入が更に進行すると、係止部２８が被係止部３３に押圧されて弾性係止片２５が横方向他側に弾性変形すると共に係止部２８が被係止部３３に乗り上がる。
【００２８】
挿入が更に進行すると、係止部２８が被係止部３３を乗り越えることで、弾性係止片２５が横方向他側に弾性復帰する。この結果、図４に示すように、係止部２８が被係止部３３に係止されることで、第１筐体１１と第２筐体１２との上下方向の分離が防止される。これにより、筐体１０の組み付けが完了する。
【００２９】
図４に示すように、係止部２８が被係止部３３に係止された状態（組付完了状態）において、係止を解除するためには、弾性係止片２５の自由端２７を、横方向他側（図４において、左側）に押圧して弾性係止片２５を横方向他側に弾性変形させる。これにより、係止部２８と被係止部３３との係止が解除されて、第１筐体１１と第２筐体１２との上下方向の分離が可能な状態となる。
【００３０】
＜作用・効果＞
以上、本発明の実施形態に係る電気接続箱１によれば、係止解除のため、弾性係止片２５が横方向（図４において、左右方向）に弾性変形させられる。従って、係止解除のための弾性係止片２５の弾性変形に起因して、弾性係止片２５が第２側壁部１４の外壁に押し付けられることがない。このため、弾性係止片２５と第２側壁部１４の外壁との間の擦動摩擦抵抗の増大に起因して、第１筐体１１と第２筐体１２とが互いに分離し難くなる、という問題が発生し難くなる。
【００３１】
更に、電気接続箱１によれば、片持ち梁状の弾性係止片２５の自由端を横方向に移動させるという単純な操作により、係止を解除することができる。
【００３２】
更に、電気接続箱１によれば、弾性係止片２５の自由端２７が、第１側壁部１３の外壁、一対の第１側板部２１、及び、第１連結部２２により囲まれている。このため、周囲の物体が意図せずに自由端２７に接触して係止が解除される事態が発生し難くなる。
【００３３】
更に、電気接続箱１によれば、弾性係止片２５の固定端２６が、第１延出部２３及び第２延出部２４の間に挟持され、且つ、強固に固定され得る。このため、周囲の物体が意図せずに固定端２６に接触して係止が解除される事態が発生し難くなる。
【００３４】
更に、電気接続箱１によれば、被係止部３３が、一対の第２側板部３１のうち横方向一側の第２側板部３１の内壁面に設けられている。このため、周囲の物体が意図せずに被係止部３３に接触して係止が解除される事態が発生し難くなる。
【００３５】
＜他の形態＞
なお、本発明は上記各実施形態に限定されることはなく、本発明の範囲内において種々の変形例を採用することができる。例えば、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００３６】
上記実施形態では、弾性係止片２５を横方向（図４において、左右方向）に弾性変形させることで係止が解除されるように構成されている。これに対し、第１係止部２０が設けられた第１側壁部１３の外壁に沿う方向である限りにおいて、例えば、第１筐体１１と第２筐体１２との組付方向（図４において、上下方向）など、任意の方向に弾性係止片２５を弾性変形させることで係止が解除されるように構成されていてもよい。
【００３７】
更に、上記実施形態では、弾性係止片２５の自由端２７が、第１側壁部１３の外壁、一対の第１側板部２１、及び、第１連結部２２により囲まれているが、弾性係止片２５の自由端２７が、第１係止部２０の一部により囲まれていなくてもよい。
【００３８】
更に、上記実施形態では、弾性係止片２５が片持ち梁状の形状を有しているが、弾性係止片２５が両持ち梁状の形状を有していてもよい。
【００３９】
更に、上記実施形態では、係止部２８と被係止部３３との当接面同士の何れかにおいて、相手側の当接面に向けて突出するリブが形成されていてもよい。これにより、係止部２８と被係止部３３との当接面同士のガタ付きが抑制され得る。
【００４０】
更に、上記実施形態では、第１係止部２０の第１連結部２２の上端部における、原位置にある（弾性変形していない図２に示す位置）にある弾性係止片２５の自由端２７の横方向位置と同じ横方向位置に、弾性係止片２５が原位置にあることを示すための目印が設けられていてもよい。これにより、弾性係止片２５が原位置にあることを一目で確認することができる。
【００４１】
ここで、上述した本発明に係る電気接続箱１の実施形態の特徴をそれぞれ以下［１］〜［５］に簡潔に纏めて列記する。
［１］
環状の第１側壁部（１３）を有する第１筐体（１１）と、
環状の第２側壁部（１４）を有する第２筐体（１２）であって、前記第２側壁部（１４）の環状の縁部と前記第１側壁部（１３）の環状の縁部とを合わせるように、前記第１筐体（１１）に組み付けられる第２筐体（１２）と、
前記第１側壁部（１３）の外壁に設けられ、弾性変形可能な弾性係止片（２５）を備えた第１係止部（２０）と、
前記第２側壁部（１４）の外壁に設けられ、前記弾性係止片（２５）の係止部（２８）を係止することで前記第１筐体（１１）と前記第２筐体（１２）との分離を防止する被係止部（３３）を備えた第２係止部（３０）と、
を備え、前記第１筐体（１１）及び前記第２筐体（１２）の少なくとも一方において少なくとも１つの電子部品を収容する電気接続箱（１）において、
前記第１係止部（２０）及び前記第２係止部（３０）は、前記弾性係止片（２５）の前記係止部（２８）が前記被係止部（３３）に係止された状態にて、前記弾性係止片（２５）を前記第１係止部（２０）が設けられた前記第１側壁部（１３）の前記外壁に沿う方向に弾性変形させることで、前記係止が解除されるように構成された、
電気接続箱（１）。
［２］
上記［１］に記載の電気接続箱（１）において、
前記弾性係止片（２５）は、自由端（２７）が固定端（２６）より前記第２筐体（１２）から離れる側に位置する片持ち梁状の形状を有し、
前記弾性係止片（２５）の前記自由端（２７）を、前記第１側壁部（１３）の前記外壁に沿い且つ前記第１筐体（１１）と前記第２筐体（１２）との組み付け方向に直交する横方向に移動させることで、前記係止が解除されるように構成された、
電気接続箱（１）。
［３］
上記［２］に記載の電気接続箱（１）において、
前記第１係止部（２０）は、前記横方向に離れて前記第１側壁部（１３）の前記外壁から外側に突出する一対の第１側板部（２１）と、前記一対の第１側板部（２１）の突出側端部同士を連結するように前記横方向に延びる第１連結部（２２）と、を備え、
前記弾性係止片（２５）の前記自由端（２７）は、前記第１側壁部（１３）の前記外壁、前記一対の第１側板部（２１）、及び、前記第１連結部（２２）により画成される空間（Ｓ１）内に位置する、
電気接続箱（１）。
［４］
上記［３］に記載の電気接続箱（１）において、
前記第１係止部（２０）は、前記第１連結部（２２）から前記第２筐体（１２）側に延出する第１延出部（２３）と、前記第１延出部（２３）と対向するように前記第１側壁部（１３）の前記縁部から前記第２筐体（１２）側に延出する第２延出部（２４）と、を備え、
前記弾性係止片（２５）の前記固定端（２６）は、前記第１延出部（２３）及び前記第２延出部（２４）に挟持され固定されている、
電気接続箱（１）。
［５］
上記［４］に記載に記載の電気接続箱（１）において、
前記第２係止部（３０）は、前記横方向に離れて前記第２側壁部（１４）の前記外壁から外側に突出する一対の第２側板部（３１）と、前記一対の第２側板部（３１）の突出側端部同士を連結するように前記横方向に延びる第２連結部（３２）と、を備え、
前記弾性係止片（２５）の前記係止部（２８）が前記被係止部（３３）に係止された状態にて、前記第１延出部（２３）及び前記第２延出部（２４）は、前記第２側壁部（１４）の前記外壁、前記一対の第２側板部（３１）、及び、前記第２連結部（３２）により画成される空間（Ｓ２）内に進入し、
前記被係止部（３３）は、前記一対の第２側板部（３１）のうち一方の前記第２側板部（３１）の内壁面に設けられている、
電気接続箱（１）。
【符号の説明】
【００４２】
１      電気接続箱
１１    第１筐体
１２    第２筐体
１３    第１側壁部
１４    第２側壁部
２０    第１係止部
２１    第１側板部
２２    第１連結部
２３    第１延出部
２４    第２延出部
２５    弾性係止片
２６    固定端
２７    自由端
２８    係止部
３０    第２係止部
３１    第２側板部
３２    第２連結部
３３    被係止部
Ｓ１    第１空間（空間）
Ｓ２    第２空間（空間）
【図１】
2020202664.tif 000003
【図２】
2020202664.tif 000004
【図３】
2020202664.tif 000005
【図４】
2020202664.tif 000006